(57)【要約】【課題】医療器具を包装する場合に、包装作業性を良好にするとともに、包装部材の廃棄処理を容易にする。【解決手段】医療器具用包装部材１は、医療器具の搬送用の箱１０１内に医療器具と共に収容され、医療器具を箱１０１内で保持可能なように紙材を成形してなる。包装部材１は、箱１０１に収容された医療器具を箱１０１の蓋側から覆って押さえるように形成された被覆部２０を備えている。被覆部２０には、医療器具を構成する部品を所定位置に保持するための保持部２７，２８，３５が設けられている。【選択図】図１
2010202233.tif 000002
【特許請求の範囲】
【請求項１】
医療器具の搬送用の箱内に該医療器具と共に収容され、該医療器具を箱内で保持可能なように紙材を成形してなる医療器具用包装部材であって、
箱に収容された医療器具を該箱の蓋側から覆って押さえるように形成された被覆部を備え、
上記被覆部には、医療器具を構成する部品を所定位置に保持するための保持部が設けられていることを特徴とする医療器具用包装部材。
【請求項２】
請求項１に記載の医療器具用包装部材において、
被覆部には、第１の目的のための第１貫通孔と、第２の目的のための第２貫通孔とが形成されていることを特徴とする医療器具用包装部材。
【請求項３】
請求項２に記載の医療器具用包装部材において、
第１貫通孔と第２貫通孔とは、形状ないし大きさが異なることを特徴とする医療器具用包装部材。
【請求項４】
請求項２または３に記載の医療器具用包装部材において、
第１貫通孔は、医療器具における被覆部により覆われた部分を視認するための窓を構成するものであることを特徴とする医療器具用包装部材。
【請求項５】
請求項２から４のいずれか１つに記載の医療器具用包装部材において、
第２貫通孔は、医療器具における被覆部により覆われた部分の箱内での位置調整を行うための位置調整用貫通孔であることを特徴とする医療器具用包装部材。
【請求項６】
請求項１から５のいずれか１つに記載の医療器具用包装部材において、
紙材は、波形の断面形状を有する芯材を備えた段ボールであり、
被覆部には、上記段ボールにおける芯材の波形が連続する方向に延びる折線により折り曲げられたリブが形成されていることを特徴とする医療器具用包装部材。
【請求項７】
請求項１から６のいずれか１つに記載の医療器具用包装部材において、
保持部は、被覆部を折り曲げ成形してなることを特徴とする医療器具用包装部材。
【請求項８】
請求項１から７のいずれか１つに記載の医療器具用包装部材において、
保持部は、医療器具を構成する部品が嵌る開口部と、該開口部の周縁部から延び、該部品の外面に対向するように位置する支え板とを備え、
上記支え板は、上記開口部を形成する際に抜く部分を折り曲げ成形してなるものであることを特徴とする医療器具用包装部材。
【請求項９】
請求項１から８のいずれか１つに記載の医療器具用包装部材において、
箱の側壁に沿って延びる側板を備えていることを特徴とする医療器具用包装部材。
【請求項１０】
請求項１から９のいずれか１つに記載の医療器具用包装部材において、
保持部は、医療器具の両側部へ向けてそれぞれ突出するように形成されていることを特徴とする医療器具用包装部材。
【発明の詳細な説明】
【技術分野】
【０００１】
本発明は、医療器具の包装時に用いられる医療器具用包装部材に関する。
【背景技術】
【０００２】
従来より、例えば特許文献１、２に開示されているように、医療現場で用いられる血液回路等の医療器具を包装するための各種包装部材が知られている。
【０００３】
特許文献１の包装部材は、樹脂製の板で構成されており、医療器具を構成する複数の部品をそれぞれ保持するため複数の窪みを有している。この包装部材は袋に収容されるようになっており、医療器具は包装部材で保持された状態で袋に収容されたまま、使用場所まで搬送される。
【０００４】
また、医療器具は患者の治療に用いられるものであって高い安全性が要求されるので、搬送時に振動や衝撃を受けても損傷しないように包装しなければならない。搬送時に特に問題となるのは、医療器具がチューブを有するものである場合に、そのチューブに無理な力がかかって折れた形状のままとなってしまう、いわゆるキンクと呼ばれる不具合が発生することである。キンクが生じたまま、長期間保管すると、特に合成樹脂製チューブの場合、チューブ内腔が閉塞したままで使用されることになり、プライミング作業や体外血液循環を行う際に不都合となっていた。このような不具合を防止するために、特許文献１の包装部材を使用する場合には、別の搬送用の箱に収容して医療器具を保護することが一般的に行われている。
【０００５】
特許文献２の包装部材は、医療器具を収容して保護可能な樹脂製の箱である。この包装部材を用いる場合には、医療器具を包装部材の内部に入れた後、面ファスナーや粘着テープ等で固定する。これにより、医療器具が箱の内部で不用意に動かないようにして、医療器具が有するチューブに不具合が発生しないようにしている。
【特許文献１】特開２００２−６９９号公報
【特許文献２】特開２００２−８５５２１号公報
【発明の開示】
【発明が解決しようとする課題】
【０００６】
しかしながら、特許文献１の包装部材は樹脂製の板であるので、廃棄時に簡単に折り畳むことは困難であり、廃棄処理に問題がある。
【０００７】
また、特許文献２の包装部材は箱であるので医療器具を保護することができる反面、医療器具を面ファスナーや粘着テープで固定しなければならず、包装作業が煩雑である。さらに、特許文献２のように面ファスナーや粘着テープを用いると、包装部材の廃棄時に分別作業が必要になり、廃棄処理が煩雑になることが考えられる。
【０００８】
本発明は斯かる点に鑑みてなされたものであり、その目的とするところは、不具合を与えないように医療器具を包装する場合に、包装作業性を良好にするとともに、包装部材の廃棄処理を容易に行えるようにすることにある。
【課題を解決するための手段】
【０００９】
上記目的を達成するために、本発明では、紙材を用いて包装部材を構成し、さらに、箱に収容した医療器具を該箱の蓋側から覆って押さえるようにしたのに加え、該医療器具を構成する部品が不意に動かないように別途保持できるようにした。
【００１０】
具体的には、第１の発明では、医療器具の搬送用の箱内に該医療器具と共に収容され、該医療器具を箱内で保持可能なように紙材を成形してなる医療器具用包装部材であって、箱に収容された医療器具を該箱の蓋側から覆って押さえるように形成された被覆部を備え、上記被覆部には、医療器具を構成する部品を所定位置に保持するための保持部が設けられている構成とする。
【００１１】
この構成によれば、箱内に収容された医療器具を被覆部により覆うことで、医療器具が被覆部により押さえられて箱内で動きにくくなり安定する。また、医療器具を構成する部品は、保持部により所定位置に保持される。これにより、医療器具が箱内で不用意に動かないようになるので、医療器具の搬送中の損傷が抑止される。
【００１２】
また、包装部材を使用した後、廃棄する際には、包装部材が紙材を成形してなるものなので、簡単に折り畳めてコンパクトになる。また、リサイクルも容易に行える。
【００１３】
第２の発明では、第１の発明において、被覆部には、第１の目的のための第１貫通孔と、第２の目的のための第２貫通孔とが形成されている構成とする。
【００１４】
第３の発明では、第２の発明において、第１貫通孔と第２貫通孔とは、形状ないし大きさが異なる構成とする。
【００１５】
第４の発明では、第２または３の発明において、第１貫通孔は、医療器具における被覆部により覆われた部分を視認するための窓を構成するものである。
【００１６】
この構成によれば、医療器具を被覆部で被覆した状態のまま、医療器具が所定位置にあるか否かを窓を通して目視することが可能になる。
【００１７】
第５の発明では、第２から４のいずれか１つの発明において、第２貫通孔は、医療器具における被覆部により覆われた部分の箱内での位置調整を行うための位置調整用貫通孔である構成とする。
【００１８】
この構成によれば、医療器具が所定位置からずれている場合には、医療器具を被覆部で被覆した状態のまま、位置調整用貫通孔を介して医療器具の位置調整を行うことが可能になる。
【００１９】
第６の発明では、第１から５のいずれか１つの発明において、紙材は、波形の断面形状を有する芯材を備えた段ボールであり、被覆部には、上記段ボールにおける芯材の波形が連続する方向に延びる折線により折り曲げられたリブが形成されている構成とする。
【００２０】
すなわち、段ボールの芯材は、波形の断面形状を有していることから、波形の山や谷の部分を起点として折れ曲がり易い性質を持っている。本構成では、被覆材のリブを、芯材の波形が連続する方向に延びる折線により折り曲げて形成したことで、リブが、芯材の波形が連続する方向に延びる板状となる。これにより、リブによる補強効果を十分に得て、被覆部が折れ曲がり難くなる。
【００２１】
第７の発明では、第１から６のいずれか１つの発明において、保持部は、被覆部を折り曲げ成形してなる構成とする。
【００２２】
この構成によれば、保持部を被覆部に容易に一体成形することが可能になる。また、被覆部を折り曲げて保持部を形成したことで、保持部がリブとして機能し、被覆部の剛性が向上する。
【００２３】
第８の発明では、第１から７のいずれか１つの発明において、保持部は、医療器具を構成する部品が嵌る開口部と、該開口部の周縁部から延び、該部品の外面に対向するように位置する支え板とを備え、上記支え板は、上記開口部を形成する際に抜く部分を折り曲げ成形してなるものとする。
【００２４】
この構成によれば、医療器具の部品を保持部に保持させると、部品が開口部に嵌った状態で、かつ、支え板により支えられることになる。この支え板を、開口部を形成する際に抜く部分で構成したので、材料の有効活用を図ることが可能になる。
【００２５】
第９の発明では、第１から８のいずれか１つの発明において、箱の側壁に沿って延びる側板を備えている構成とする。
【００２６】
この構成によれば、包装部材を箱に収容した状態で側板が箱の側壁に当接することになる。
【００２７】
第１０の発明では、第１から９のいずれか１つの発明において、保持部は、医療器具の両側部へ向けてそれぞれ突出するように形成されている構成とする。
【００２８】
この構成によれば、医療器具の両側部が保持部によりそれぞれ保持されて位置決めされることになる。
【発明の効果】
【００２９】
第１の発明によれば、箱内の医療器具を被覆部により箱の蓋側から覆って押さえ、さらに、医療器具を構成する部品を保持部により保持することができる。これにより、面ファスナーや粘着テープを用いることなく包装作業を容易にしながら、医療器具を箱に収容した状態で不用意に動かないようにできる。また、包装部材を紙材で構成したので、廃棄処理を容易に行うことができる。
【００３０】
第２、３の発明によれば、包装部材の使いやすさを向上できる。
【００３１】
第４の発明では、医療器具における被覆部により覆われた部分を窓を通じて目視できるので、医療器具が定められた位置にあるか否かを容易に確認できる。
【００３２】
第５の発明によれば、医療器具における被覆部により覆われた部分の位置調整を位置調整用貫通孔を介して容易に行うことができ、医療器具を所定位置に確実に収容できる。また、滅菌工程を行う前であれば、包装部材内で位置のずれた医療器具の収容状態を修正したり、調整することも可能である。
【００３３】
第６の発明によれば、段ボールで包装部材を構成し、この段ボールに、芯材の波形が連続する方向に延びる折線により折り曲げられたリブを形成したので、被覆部の剛性を向上させることができ、医療器具をしっかりと押さえて保持することができる。
【００３４】
第７の発明によれば、被覆部を折り曲げて保持部を形成したので、保持部を容易に一体成形して低コスト化を図ることができるとともに、保持部を利用して被覆部の剛性を向上させることができる。
【００３５】
第８の発明によれば、医療器具の部品が嵌る開口部と、該開口部の周縁部から延びる支え板とで保持部を構成したので、部品をより一層安定して保持できる。そして、開口部を形成する際に抜く部分を利用して支え板を得るようにしたので、材料を有効活用して材料費を抑えることができる。
【００３６】
第９の発明によれば、包装部材の側板を箱の側壁に当接させることにより、包装部材を箱内で安定させ、ひいては、医療器具の不用意な動きを抑制できる。
【００３７】
第１０の発明によれば、医療器具の両側部を保持部によりそれぞれ保持して位置決めできるので、医療器具の位置ずれを確実に防止できる。
【発明を実施するための最良の形態】
【００３８】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３９】
図１は、本発明の実施形態に係る包装部材１を使用して医療器具としてのＣＨＤＦ（持続的血液濾過透析）回路２（図２に示す）を包装した状態を示すものである。この実施形態の説明では、包装部材１の説明を行う前に、ＣＨＤＦ回路２について図２を参照しながら説明する。ＣＨＤＦ回路２は、血液濾過器１０と、血液回路１１と、透析液回路１２と、第１及び第２パネル１３，１４とを備えている。血液濾過器１０は、多数の中空糸を筒状のケース１０ａに収容してなるものである。血液回路１１は、血液濾過器１０の血液流路に接続されるチューブ１１ａ、図示しない血液ポンプによりしごかれるしごきチューブ１１ｂ等からなる。また、透析液回路１２は、ろ液バッグ１２ａ、補液・透析液バッグ１２ｂ、血液濾過器１０の透析液流路に接続されるチューブ１２ｃ等からなる。チューブ１２ｃは、ろ液バッグ１２ａ及び補液・透析液バッグ１２ｃにも接続されている。
【００４０】
第１パネル１３は、透明な樹脂材を矩形状に成形してなるものであり、４つの隅のうちの１つに切欠部１３ａが設けられた形状となっている。この第１パネル１３には、血液回路１１のチューブ１１ａの中途部が固定される複数の固定部１３ｂと、透析液回路１２のチューブ１２ｃの中途部が固定される複数の固定部１３ｃと、しごきチューブ１１ｂが固定される固定部１３ｄと、血液回路１１のチューブ１１ａの中途部に設けられた柱状の圧力センサ１１ｃが嵌る開口部１３ｅとが設けられている。各固定部１３ｂ，１３ｃ，１３ｄは、第１パネル１３の周縁部から延出する板状をなしており、それぞれ、切れ込み部１３ｆを有している。各切れ込み部１３ｆにチューブ１１ａ，１１ｂ、１２ｃを径方向に挿入することで、チューブ１１ａ，１１ｂ，１２ｃが切れ込み部１３ｆの縁部により挟まれた状態となって第１パネル１３に固定されるようになっている。また、しごきチューブ１１ｂは、第１パネル１３の切欠部１３ａ内に位置している。また、第１パネル１３には、透析液回路１２のチューブ１２ｃが粘着テープＴによっても固定されている。図２における符号１７は、チューブ１１ａを巻いた状態で保持しておくための紐であり、使用時にはほどく。
【００４１】
第２パネル１４は、透明な樹脂材を長方形状に成形してなるものである。第２パネル１４の長辺寸法は、第１パネル１３の長辺寸法（図２における上下方向の寸法）よりも長く設定され、第２パネル１４の短辺寸法（図２における左右方向の寸法）は、第１パネル１３の短辺寸法よりも短く設定されている。この第２パネル１４には、透析液回路１２のチューブ１２ｃの中途部が固定される複数の固定部１４ａと、透析液回路１２のチューブ１２ｃの中途部に設けられた柱状の圧力センサ１２ｄが嵌る開口部１４ｂとが設けられている。固定部１４ａは、第１パネル１３の固定部１３ｂ，１３ｃ，１３ｄと同様に切れ込み部１４ｃを有している。ろ液バッグ１２ａ及び補液・透析液バッグ１２ｂは、各々、筒状に巻かれた状態で紐１８により第２パネル１４に縛り付けられている。
【００４２】
ＣＨＤＦ回路２の使用時には、ろ液バッグ１２ａ及び補液・透析液バッグ１２ｂを第２パネル１４から取り外し、第１及び第２パネル１３，１４を透析器（図示せず）に取り付けて使用する。つまり、第１及び第２パネル１３，１４は、ＣＨＤＦ回路２の一部を構成するものである。
【００４３】
上記のように構成されたＣＨＤＦ回路２は、図１１に示すように、滅菌状態を維持するための梱包袋１００に入れられ、この状態で搬送用の箱１０１に収容される。
【００４４】
上記ＣＨＤＦ回路２を収容する箱１０１について図１を参照しながら説明すると、この箱１０１は、段ボールからなり、平面視で長方形状の開放口１０１ａを有するように形成されている。箱１０１の蓋１０１ｂは、箱１０１の長辺部分に連なって設けられている。
【００４５】
次に、包装部材１の構造について説明する。包装部材１は、１枚の段ボールＡ（図９に示す）を折り曲げ成形してなるものであり、図１に示すように、ＣＨＤＦ回路２を被覆する被覆部２０と、箱１０１の長辺方向に延びる両側壁１０１ｃ，１０１ｄに沿って、かつ、上下方向に延びる第１及び第２側板２１，２２とを備えている。尚、この実施形態の説明では、説明の便宜を図るために、図１の下側を包装部材１の左側といい、同図の上側を包装部材１の右側といい、同図の左側を包装部材１の奥側といい、同図の右側を包装部材１の手前側というものとする。
【００４６】
段ボールＡの芯材（図示せず）は、波形の断面形状を有しており、この実施形態では、波の連続する方向が包装部材１の左右方向となるように段ボールＡの向きが設定されている。上記第１及び第２側板２１，２２は、段ボールＡにおける芯材の波形が連続する方向、即ち、左右方向に延びる折線により折り曲げられ、左右方向に延びるリブを構成している。
【００４７】
図３及び図４に示すように、被覆部２０は、箱１０１の開放口１０１ａに略一致する長方形の平板形状に形成されており、箱１０１に収容されたＣＨＤＦ回路２を上方から覆って押さえるためのものである。第１側板２１は、被覆部２０の奥側の縁部に連なって設けられている。第２側板２２は、被覆部２０の手前側の縁部に連なって設けられている。
【００４８】
被覆部２０の奥側には、被覆部２０の長辺に沿って延びるスリット２３が形成されている。スリット２３の長さは、被覆部２０の長辺寸法よりも短く設定されている。スリット２３は、被覆部２０の左右方向の中間部に位置している。このスリット２３を形成する際に抜いた部分は、第１側板２１の上縁部に一体に設けられており、該第１側板２１の上部を構成している。第１側板２１の上下方向の寸法は、箱１０１の深さに略一致している。
【００４９】
被覆部２０の奥側の左右の両隅部近傍には、ＣＨＤＦ回路２の被覆部２０により覆われた部分の位置調整を行うため（本発明の第２の目的に相当）の左側及び右側位置調整用貫通孔（本発明の第２貫通孔に相当）２４，２５が形成されている。図４に示すように、左側位置調整用貫通孔２４は右側位置調整用貫通孔２５よりも被覆部２０の内寄りに位置している。
【００５０】
左側及び右側位置調整用貫通孔２４，２５は、共に同じ円形状とされている。左側及び右側位置調整用貫通孔２４，２５の大きさは、少なくとも指が１本が入る程度の大きさが好ましく、より好ましくは複数本の指が入る大きさ（例えば、直径４０ｍｍ程度）である。尚、左側及び右側位置調整用貫通孔２４，２５の形状は、円形に限られるものではなく、長円形、多角形状であってもよい。
【００５１】
図５〜図８に示すように、被覆部２０の左側及び右側には、左側及び右側保持部２７，２８がそれぞれ設けられている。左側及び右側保持部２７，２８は、被覆部２０の一部を折り曲げ成形してなるものであり、被覆部２０には、図３にも示すように、左側保持部２７を形成したことによる左側切欠部３０と、右側保持部２８を形成したことによる右側切欠部３１とが設けられている。
【００５２】
図８にも示すように、左側保持部２７は、被覆部２０における左側切欠部３０の縁部から下方へ向かい、かつ、下側に行くほど右側に位置するように傾斜して延びる傾斜板部２７ａと、傾斜板部２７ａの下縁に連なり左側へ延びる下板部２７ｂとで構成されている。
【００５３】
右側保持部２８は、被覆部２０における右側切欠部３１の縁部から下方へ向かい、かつ、下側に行くほど左側に位置するように延びる傾斜板部２８ａと、傾斜板部２８ａの下縁に連なり右側へ延びる下板部２８ｂとで構成されている。
【００５４】
包装部材１を箱１０１に収容する前は、図９に実線で示すように、左側保持部２７の傾斜板部２７ａは被覆部２０に対し垂直に下方へ延びる状態となっており、下板部２７ｂの左縁部は、被覆部２０の左縁部よりも左側へ突出している。右側保持部２８についても同様に、傾斜板部２８ａは被覆部２０に対し垂直に下方へ延びる状態となっており、下板部２８ｂの右縁部は、被覆部２０の右縁部よりも右側へ突出している。そして、包装部材１を箱１０１に収容した状態で左側の下板部２７ｂが箱１０１の内面により右側へ押され、また、右側の下板部２８ｂが箱１０１の内面により左側へ押されて、同図に仮想線で示すように、傾斜板部２７ａ，２８ａが傾斜した状態となる。
【００５５】
傾斜板部２７ａを上述の如く傾斜させることで、該傾斜板部２７ａは、ＣＨＤＦ回路２へ向けて突出する形状となり、梱包袋１００（図９には仮想線で示す）に食い込むようになる。傾斜板部２８ａも、上記傾斜板部２７ａと同様にＣＨＤＦ回路２へ向けて突出する形状となり、梱包袋１００に食い込むようになる。
【００５６】
図４に示すように、左側保持部２７の下板部２７ｂの左右方向の寸法は、右側保持部２８の下板部２８ｂの左右方向の寸法よりも長く設定されている。左側保持部２７の傾斜板部２７ａと、右側保持部２８の傾斜板部２８ａとの離間寸法は、ＣＨＤＦ回路２の第２パネル１４の長手方向の寸法よりも若干広めに設定されており、これら傾斜板部２７ａ，２８ａの間に第２パネル１４が第１パネル１３と共に位置するようになっている。
【００５７】
図３に示すように、被覆部２０の左側及び右側保持部２７，２８の近傍には、ＣＨＤＦ回路２の被覆部２０により覆われた部分を被覆部２０で覆ったままの状態で視認するため（本発明の第１の目的に相当）の貫通孔（本発明の第１貫通孔に相当）で構成された左側及び右側窓３３，３４がそれぞれ形成されている。図４に示すように、左側窓３３の左縁部は、左側切欠部３０の縁部と一致して左右方向と直交する方向に延び、また、左側窓３３の右縁部は、円弧状に延びている。つまり、左側窓３３は、略半円形状となっている。左側窓３３の円弧部分の半径は、位置調整用貫通孔２４の半径と略同じに設定されているが、互いに異ならせてもよい。右側窓３４も同様に略半円形状となっている。
【００５８】
被覆部２０の手前側には、図１に示すように、血液濾過器１０を保持するための濾過器保持部３５が設けられている。図４に示すように、濾過器保持部３５は、倒した状態の血液濾過器１０が嵌るように形成された開口部３５ａと、開口部３５ａの周縁部から延び、血液濾過器１０の外面に対向するように位置する第１〜第３支え板３５ｂ〜３５ｄとを備えている。
【００５９】
開口部３５ａは、左右方向に長い長方形状をなしており、被覆部２０の左寄りに位置している。図８に示すように、第１支え板３５ｂは、開口部３５ａの左縁部から下方へ向けて延び、下側へ行くほど左側に位置するように傾斜しており、開口部３５ａに嵌めた状態の血液濾過器１０を左側から支えるものである。第２支え板３５ｃは、開口部３５ａの右縁部から下方へ向けて延び、下側へ行くほど右側に位置するように傾斜しており、開口部３５ａに嵌めた状態の血液濾過器１０を右側から支えるものである。図５及び図６に示すように、第３支え板３５ｄは、開口部３５ａの奥側の縁部から下方へ向けて延び、下側へ行くほど奥側に位置するように傾斜しており、開口部３５ａに嵌めた状態の血液濾過器１０をその奥側から支えるものである。第１〜第３支え板３５ｂ〜３５ｄの下縁部は、第１及び第２側板２１，２２の下縁部よりも上方に位置しており、第１及び第２側板２１，２２の下縁部が箱１０１の底面に当接した状態で、第１〜第３支え板３５ｂ〜３５ｄの下縁部は箱１０１の底面から上方に離れるようになっている。
【００６０】
上記第１〜第３支え板３５ｂ〜３５ｄは、開口部３５ａを形成する際に抜いた部分を折り曲げ成形してなるものである。第３支え板３５ｄは、段ボールＡにおける芯材の波形が連続する方向に延びる折線により折り曲げられたリブを構成している。
【００６１】
また、開口部３５ａを形成する際に抜いた部分の一部は、第２側板２２に一体に設けられており、該第２側板２２の下部を構成している。
【００６２】
また、被覆部２０の奥側は、手前側に比べて上方に位置しており、被覆部２０は全体として手前側に向かって下降傾斜している。
【００６３】
次に、上記のように構成された包装部材１を製造する場合について図９に基づいて説明する。まず、１枚の段ボールＡを用意する。この段ボールＡの厚さとしては、例えば２ｍｍ程度が好ましい。
【００６４】
そして、段ボールＡには、スリット２３を形成するための切込ａ１、左側保持部２７を形成するための切込ａ２、右側保持部２８を形成するための切込ａ３、開口部３５ａ及び第１〜第３支え板３５ｂ〜３５ｄを形成するための切込ａ４を入れる。各切込ａ１〜ａ４を便宜上、破線にて示す。また、左側及び右側位置調整用貫通孔２４，２５及び左側及び右側窓３３，３４を形成するために、対応する部位を切り抜く。
【００６５】
しかる後、折線（一点鎖線で示す）に沿って段ボールＡの各部を折ることで、被覆部２０、第１及び第２側板２１，２２、左側及び右側保持部２７，２８、スリット２３、開口部３５ａ、第１〜第３支え板３５ｂ〜３５ｄが一体に形成される。第１〜第３支え板３５ｂ〜３５ｄを、開口部３５ａを形成する際に抜く部分を折り曲げ成形することで得るようにしたので、材料の有効活用が図られる。
【００６６】
次に、上記ＣＨＤＦ回路２を包装する場合について説明する。まず、図２に示すように、ＣＨＤＦ回路２を展開した状態にする。そして、図１０に示すように、第２パネル１４を第１パネル１３の上に重ねる。このとき、第２パネル１４に固定されているバッグ１２ａ，１２ｂが第２パネル１４と第１パネル１３とで挟まれるようにしておく。第２パネル１４を第１パネル１３に重ねた状態のＣＨＤＦ回路２を図１１に示すように梱包袋１００に収容する。梱包袋１００の表側は透明である。
【００６７】
その後、図１２に示すようにＣＨＤＦ回路２を箱１０１に収容する。このとき、血液濾過器１０が箱１０１の手前側に位置し、第１及び第２パネル１３，１４が奥側に位置するようにしておく。
【００６８】
しかる後、図１に示すように、包装部材１を箱１０１に収容すると、被覆部２０によりＣＨＤＦ回路２の第１及び第２パネル１３，１４が血液回路１１及び透析液回路１２と共に上方から覆われる。第１及び第２パネル１３，１４と、血液回路１１及び透析液回路１２は、包装部材１の左右の傾斜板部２７ａ，２８ａの間に位置付けておき、また、血液濾過器１０は、開口部３５ａに嵌めておく。
【００６９】
また、箱１０１に収容された包装部材１の第１及び第２側板２１，２２は箱１０１の側壁１０１ｃ，１０１ｄに沿って延びるように位置するので、包装部材１を箱１０１内で安定させることが可能になる。
【００７０】
そして、作業者は、左側及び右側窓３３，３４を覗き込む。すると、被覆部２０により覆われた第１及び第２パネル１３，１４や、血液回路１１、透析液回路１２を目視することができる。これにより、例えば、第２パネル１４が左右の傾斜板部２７ａ，２８ａの間からずれているか否かを、被覆部２０をそのままにした状態で確認できる。第２パネル１４がずれている場合には、作業者は、左側及び右側位置調整用貫通孔２４，２５に指を差し込んで、第２パネル１４を梱包袋１０１の上から摘んだり、押したりして第２パネル１４の位置を調整することができる。このとき、左側及び右側窓３３，３４を覗き込んでおくことで、第２パネル１４の位置を把握しながら位置調整を行うことができる。第２パネル１４以外にも、第１パネル１３や、血液回路１１のチューブ１１ａ及び透析液回路１２の各チューブ１２ｃ等の位置調整も同様にして行うことができる。
【００７１】
尚、左側及び右側窓３３，３４に指を差し込んで第２パネル１４等の位置調整を行うこともできるし、左側及び右側位置調整用貫通孔２４、２５を覗き込んで第１及び第２パネル１３，１４や、血液回路１１、透析液回路１２を目視することもできる。
【００７２】
このようにして第１及び第２パネル１３，１４、血液回路１１、透析液回路１２の位置調整を行うと、第１及び第２パネル１３，１４、血液回路１１、透析液回路１２は、被覆部２０により上方から押さえられ、さらに、左側保持部２７ａ及び右側保持部２８ａによって左右両側から所定位置に保持される。また、包装部材１を箱１０１に収容すると、図９に仮想線で示すように、左側及び右側保持部２７，２８の傾斜板部２７ａ，２８ａがＣＨＤＦ回路２に向けて突出して梱包袋１００に食い込むようになり、保持が確実になる。
【００７３】
このとき、被覆部２０には、第１及び第２側板２１，２２、第２支え板３５ｃが形成されているので、これらがリブとして機能して被覆部２０の剛性が高まり、その結果、第１及び第２パネル１３，１４、血液回路１１、透析液回路１２をしっかりと押さえておくことができる。
【００７４】
また、開口部３５ａに嵌った血液濾過器１０は、第１〜第３支え板３５ｂ〜３５ｄにより３方向から支えられるので安定する。
【００７５】
包装された状態のＣＨＤＦ回路２を搬送する際には、振動や衝撃を受けることがあるが、第１及び第２パネル１３，１４、血液回路１１、透析液回路１２が被覆部２０により覆われて箱１０１の底面に押し付けられており、しかも、左側及び右側保持部２７ａ，２８ａにより左右方向の位置決めがなされているので、不用意に動くことを防止し、チューブ１１ａ，１２ｃのキンクやＣＨＤＦ回路２を構成する各回路１１，１２及びパネル１３，１４の損傷等を抑止でき、さらに、装部材１の損傷も抑止できる。また、血液濾過器１０はチューブ１１ａ，１２ｃとは別に保持されているので、血液濾過器１０がチューブ１１ａ，１２ｃにキンクや閉塞などの不具合を与えることもない。
【００７６】
また、第１及び第２側板２１，２２は、箱１０１の側壁１０１ｃ，１０１ｄに沿って上下方向に延びているので、箱１０１の潰れも防止できる。
【００７７】
以上説明したように、この実施形態に係る包装部材１によれば、箱１０１内のＣＨＤＦ回路２を被覆部２０により箱１０１の蓋１０１ｂ側から覆って押さえ、さらに、ＣＨＤＦ回路２を構成する各部品を左側及び右側保持部２７ａ，２８ａと、濾過器保持部３５により保持することができる。これにより、面ファスナーや粘着テープを用いることなく、ＣＨＤＦ回路２を箱１０１に収容した状態で不用意に動かないようにできるので、包装作業を容易にすることができる。また、包装部材１を段ボールＡで構成したので、使用後には容易に折り畳むことができ、廃棄処理を容易に行うことができる。
【００７８】
また、ＣＨＤＦ回路２における被覆部２により覆われた部分を窓３３，３４を通じて目視できるので、ＣＨＤＦ回路２が定められた位置にあるか否かを容易に確認できる。
【００７９】
また、ＣＨＤＦ回路２における被覆部２０により覆われた部分の位置調整を位置調整用貫通孔２４，２５を介して容易に行うことができる。
【００８０】
また、段ボールＡで包装部材１を構成し、この段ボールＡに、芯材の波形が連続する方向に延びる折線により折り曲げられた第１及び第２側板２１，２２を形成したので、被覆部２０の剛性を向上させることができ、ＣＨＤＦ回路１をしっかりと押さえて保持することができる。
【００８１】
また、被覆部２０を折り曲げて保持部２７，２８を形成したので、保持部２７，２８を容易に一体成形して低コスト化を図ることができるとともに、保持部２７，２８を利用して被覆部２０の剛性を向上させることができる。
【００８２】
また、ＣＨＤＦ回路１が有する血液濾過器１０が嵌る開口部３５ａと、該開口部３５ａの周縁部から延び、第１〜第３支え板３５ｂ〜３５ｄとで濾過器保持部３５を構成したので、血液濾過器１０をより一層安定して保持できる。そして、開口部３５ａを形成する際に抜く部分を利用して支え板３５ｂ〜３５ｄを得るようにしたので、材料を有効活用して材料費を抑えることができる。
【００８３】
また、包装部材１の側板２１，２２を箱１０１の側壁１０１ｃ，１０１ｄに当接させることにより、包装部材１を箱１０１内で安定させ、ひいては、ＣＨＤＦ回路２の不用意な動きを抑制できる。
【００８４】
尚、上記実施形態では、左側及び右側窓３３，３４を、被覆部２０の貫通孔のみで構成したが、これに限らず、被覆部２０の貫通孔と、該貫通孔を覆うように被覆部２０に設けた透光性フィルムとで窓３３，３４を構成してもよい。
【００８５】
また、本発明をＣＨＤＦ回路２の包装部材１に適用した場合について説明したが、これに限らず、本発明は、血液を循環させる各種血液回路等を包装する場合にも適用することができる。
【００８６】
また、包装部材１の材料は段ボールに限られるものではなく、厚紙等であってもよい。
【産業上の利用可能性】
【００８７】
以上説明したように、本発明に係る包装部材は、例えば、ＣＨＤＦ回路を包装する際に適用することができる。
【図面の簡単な説明】
【００８８】
【図１】実施形態に係る包装部材の使用状態を示す斜視図である。
【図２】ＣＨＤＦ回路の平面図である。
【図３】包装部材の斜視図である。
【図４】包装部材の平面図である。
【図５】包装部材の左面図である。
【図６】包装部材の右面図である。
【図７】包装部材の背面図である。
【図８】包装部材の正面図である。
【図９】図４におけるIX−IX線断面図である。
【図１０】包装部材を構成する段ボールの展開図である。
【図１１】ＣＨＤＦ回路を折り畳んだ状態の平面図である。
【図１２】ＣＨＤＦ回路を梱包袋に収容した状態を示す図である。
【図１３】ＣＨＤＦ回路を箱に収容した状態を示す図である。
【符号の説明】
【００８９】
１              包装部材
２              ＣＨＤＦ回路（医療器具）
２０            被覆部
２１，２２      第１及び第２側板（リブ）
２４，２５      左側及び右側位置調整用貫通孔（第２貫通孔）
２７，２８      左側及び右側保持部
３３，３４      左側及び右側窓（第１貫通孔）
３５            濾過器保持部
３５ａ          開口部
３５ｂ〜３５ｄ  第１〜第３支え板
１００          梱包袋
１０１          箱
Ａ              段ボール
【図１】
2010202233.tif 000003
【図２】
2010202233.tif 000004
【図３】
2010202233.tif 000005
【図４】
2010202233.tif 000006
【図５】
2010202233.tif 000007
【図６】
2010202233.tif 000008
【図７】
2010202233.tif 000009
【図８】
2010202233.tif 000010
【図９】
2010202233.tif 000011
【図１０】
2010202233.tif 000012
【図１１】
2010202233.tif 000013
【図１２】
2010202233.tif 000014
【図１３】
2010202233.tif 000015